【手続補正書】
【提出日】令和1年11月26日(2019.11.26)
【手続補正１】
【補正対象書類名】特許請求の範囲
【補正対象項目名】全文
【補正方法】変更
【補正の内容】
【特許請求の範囲】
【請求項１】
被検体の同一位置を走査するように制御された測定光を用いて前記被検体について異なる時間に複数回光干渉断層撮像を行って得た複数の３次元の断層データのうちの少なくとも１つの３次元の断層データを用いて生成される画像を処理する、画像処理装置であって、
前記少なくとも１つの３次元の断層データを用いて、前記被検体の正面画像を生成する、正面画像生成部と、
前記複数の３次元の断層データを用いて、前記被検体のモーションコントラスト画像を生成する、モーションコントラスト画像生成部と、
前記モーションコントラスト画像の表示より先に、前記正面画像を表示部に表示させる、表示制御部と、
を備える、画像処理装置。
【請求項２】
前記表示制御部は、前記生成された正面画像である第１の正面画像とは異なる種類の第２の正面画像であって、前記モーションコントラスト画像である第２の正面画像の表示より先に、前記第１の正面画像を前記表示部に表示させる、請求項１に記載の画像処理装置。
【請求項３】
被検体の同一位置を走査するように制御された測定光を用いて前記被検体について異なる時間に複数回光干渉断層撮像を行って得た複数の３次元の断層データのうちの少なくとも１つの３次元の断層データを用いて生成される画像を処理する、画像処理装置であって、
前記少なくとも１つの３次元の断層データを用いて、前記被検体の正面画像を生成する、正面画像生成部と、
前記複数の３次元の断層データを用いて、前記被検体のモーションコントラスト画像を生成する、モーションコントラスト画像生成部と、
前記モーションコントラスト画像の生成の完了より先に、前記正面画像を表示部に表示させる、表示制御部と、
を備える、画像処理装置。
【請求項４】
前記表示制御部は、前記生成された正面画像である第１の正面画像とは異なる種類の第２の正面画像であって、前記モーションコントラスト画像である第２の正面画像の生成の完了より先に、前記第１の正面画像を前記表示部に表示させる、請求項３に記載の画像処理装置。
【請求項５】
前記表示制御部は、前記正面画像が表示される表示領域において、表示される画像を前記正面画像から前記モーションコントラスト画像に切り替えて前記表示部に表示させる、請求項１乃至４のいずれか一項に記載の画像処理装置。
【請求項６】
前記表示制御部は、前記正面画像が表示される表示領域において、前記モーションコントラスト画像が生成された後に、表示される画像を前記正面画像から前記モーションコントラスト画像に切り替えて前記表示部に表示させる、請求項５に記載の画像処理装置。
【請求項７】
前記正面画像生成部は、前記複数の３次元の断層データのうちの１つの３次元の断層データを用いて前記正面画像を生成する、請求項１乃至６のいずれか一項に記載の画像処理装置。
【請求項８】
前記複数の３次元の断層データは、３つ以上の３次元の断層データを含み、
前記モーションコントラスト画像生成部は、前記複数の３次元の断層データを用いて生成した複数の前記モーションコントラスト画像の平均化画像を生成し、
前記表示制御部は、前記平均化画像を前記表示部に表示させる、請求項１乃至７のいずれか一項に記載の画像処理装置。
【請求項９】
被検体の同一位置を走査するように制御された測定光を用いて前記被検体について異なる時間に複数回光干渉断層撮像を行って得た複数の３次元の断層データのうちの少なくとも１つの３次元の断層データを用いて生成される画像を処理する、画像処理装置であって、
３つ以上の３次元の断層データを含む前記複数の３次元の断層データを用いて前記被検体の複数のモーションコントラスト画像を生成し、前記複数のモーションコントラスト画像の平均化画像を生成する、モーションコントラスト画像生成部と、
前記平均化画像の表示より先に、前記複数のモーションコントラスト画像のうちのいずれかを表示部に表示させる、表示制御部と、
を備える、画像処理装置。
【請求項１０】
前記モーションコントラスト画像生成部は、前記モーションコントラスト画像を生成する毎に、既に生成された前記モーションコントラスト画像の前記平均化画像を順次生成し、
前記表示制御部は、前記平均化画像が表示される表示領域において、表示される前記平均化画像を、前記平均化画像が生成される毎に、生成された該平均化画像に切り替えて表示部に表示させる、請求項８又は９に記載の画像処理装置。
【請求項１１】
前記モーションコントラスト画像生成部は、時間的に連続する各３次元の断層データの差分を演算し、該差分を用いて前記モーションコントラスト画像を生成する、請求項１乃至１０のいずれか一項に記載の画像処理装置。
【請求項１２】
前記３次元の断層データを解析する解析部をさらに備え、
前記モーションコントラスト画像生成部は、前記解析部によって前記３次元の断層データを解析することで認識された層情報を用いて、前記差分の演算に使用する断層データを特定する、請求項１１に記載の画像処理装置。
【請求項１３】
前記被検体は被検眼であり、
前記モーションコントラスト画像生成部は、前記差分の演算に使用する断層データとして、視神経乳頭周辺の断層データ又は眼底黄斑部周辺の断層データを特定する、請求項１２に記載の画像処理装置。
【請求項１４】
前記複数の３次元の断層データは、前記被検体の第１の位置を連続して複数回主走査した後に、前記第１の位置とは異なる第２の位置を連続して複数回主走査するように制御された前記測定光を用いて得られる、請求項１乃至１３のいずれか一項に記載の画像処理装置。
【請求項１５】
前記画像処理装置は、前記被検体を光干渉断層撮像する撮像装置に通信可能に接続されており、
前記撮像装置は、前記被検体の正面像の情報を取得する正面像取得部を備え、
前記画像処理装置は、前記撮像装置から前記正面像の情報を取得し、
前記表示制御部は、前記測定光の走査時に、前記正面像の情報から生成された第３の正面画像を表示する、請求項１乃至１４のいずれか一項に記載の画像処理装置。
【請求項１６】
前記モーションコントラスト画像生成部は、検者からの指示に応じて、前記モーションコントラスト画像の生成を停止する、請求項１乃至１５のいずれか一項に記載の画像処理装置。
【請求項１７】
被検体の同一位置を走査するように制御された測定光を用いて前記被検体について異なる時間に複数回光干渉断層撮像を行って得た複数の３次元の断層データのうちの少なくとも１つの３次元の断層データから生成される画像を処理する、画像処理方法であって、
前記少なくとも１つの３次元の断層データを用いて、前記被検体の正面画像を生成する工程と、
前記複数の３次元の断層データを用いて、前記被検体のモーションコントラスト画像を生成する工程と、
前記モーションコントラスト画像の表示より先に、前記正面画像を表示部に表示させる工程と、
を含む、画像処理方法。
【請求項１８】
被検体の同一位置を走査するように制御された測定光を用いて前記被検体を異なる時間に複数回の光干渉断層撮像を行って得た複数の３次元の断層データのうちの少なくとも１つの３次元の断層データを用いて生成される画像を処理する、画像処理方法であって、
前記少なくとも１つの３次元の断層データを用いて、前記被検体の正面画像を生成する工程と、
前記複数の３次元の断層データを用いて、前記被検体のモーションコントラスト画像を生成する工程と、
前記モーションコントラスト画像の生成の完了より先に、前記正面画像を表示部に表示させる工程と、
を含む、画像処理方法。
【請求項１９】
被検体の同一位置を走査するように制御された測定光を用いて前記被検体について異なる時間に複数回光干渉断層撮像を行って得た複数の３次元の断層データのうちの少なくとも１つの３次元の断層データを用いて生成される画像を処理する、画像処理方法であって、
３つ以上の３次元の断層データを含む前記複数の３次元の断層データを用いて前記被検体の複数のモーションコントラスト画像を生成し、前記複数のモーションコントラスト画像の平均化画像を生成する工程と、
前記平均化画像の表示より先に、前記複数のモーションコントラスト画像のうちのいずれかを表示部に表示させる工程と、
を含む、画像処理方法。
【請求項２０】
コンピュータによって実行されると、該コンピュータに請求項１７乃至１９のいずれか一項に記載の画像処理方法の各工程を実行させる、プログラム。
【手続補正２】
【補正対象書類名】明細書
【補正対象項目名】０００９
【補正方法】変更
【補正の内容】
【０００９】
本発明の一実施態様による画像処理装置は、被検体の同一位置を走査するように制御された測定光を用いて前記被検体について異なる時間に複数回光干渉断層撮像を行って得た複数の３次元の断層データのうちの少なくとも１つの３次元の断層データを用いて生成される画像を処理する、画像処理装置であって、前記少なくとも１つの３次元の断層データを用いて、前記被検体の正面画像を生成する、正面画像生成部と、前記複数の３次元の断層データを用いて、前記被検体のモーションコントラスト画像を生成する、モーションコントラスト画像生成部と、前記モーションコントラスト画像の表示より先に、前記正面画像を表示部に表示させる、表示制御部とを備える。
【手続補正３】
【補正対象書類名】明細書
【補正対象項目名】００１０
【補正方法】変更
【補正の内容】
【００１０】
本発明の他の実施態様による画像処理方法は、被検体の同一位置を走査するように制御された測定光を用いて前記被検体について異なる時間に複数回光干渉断層撮像を行って得た複数の３次元の断層データのうちの少なくとも１つの３次元の断層データから生成される画像を処理する、画像処理方法であって、前記少なくとも１つの３次元の断層データを用いて、前記被検体の正面画像を生成する工程と、前記複数の３次元の断層データを用いて、前記被検体のモーションコントラスト画像を生成する工程と、前記モーションコントラスト画像の表示より先に、前記正面画像を表示部に表示させる工程とを含む。